(57)【要約】      （修正有）【課題】衛生状態を保ったまま小サイズに変更することができる包装容器を提供する。【解決手段】包装容器は、筒状のケース１０と、該ケース１０に収納されるトレー２０とを備えている。このケース１０には、余剰分を切り取って小サイズとしたときに一端側の扉となる突出片１１を残して切断するための第１の切取線が周方向に沿って全周に設けられている。そして、トレー２０には、前記第１の切取線に対応した位置にフラップ２３を残して余剰分を切り取るための第２の切取線が設けられている。ケース１０の突出片１１は、トレー２０の底面に設けられているので、突出片１１が汚れることを防止ことができるので衛生的である。【選択図】図２
0003170621.tif 000002
【実用新案登録請求の範囲】
【請求項１】
筒状のケースと、前記ケースに収納されるトレーとを備えた包装容器において、
前記ケースには、余剰分を切り取って小サイズとしたときに一端側の扉となる突出片を残して切断するための第１の切取線が周方向に沿って全周に設けられ、
前記トレーには、前記第１の切取線に対応した位置に余剰分を切り取るための第２の切取線が設けられていることを特徴とする包装容器。
【請求項２】
前記ケースの突出片は、前記トレーの底面側に設けられている請求項１記載の包装容器。
【請求項３】
前記トレーの第２の切取線は、前記突出片を扉としたときの前記突出片のそれぞれの側部に対応する位置に一対のフラップを残して形成されている請求項１または２記載の包装容器。
【請求項４】
前記一対のフラップは、前記突出片の先端に対応する側から前記突出片の基端に対応する側へ向かって徐々に幅が狭くなる略三角形状に形成されている請求項１から３のいずれかの項に記載の包装容器。
【考案の詳細な説明】
【技術分野】
【０００１】
本考案は、筒状のケースと、ケースに収納されるトレーとを備えた包装容器に関するものである。
【背景技術】
【０００２】
包装容器は、内容物の量が減ってくると無駄な空間が内部にできてしまう。このようなときに容器自体のサイズを小さくすることで、嵩張りを少なくしたり、運搬を容易にしたりすることができる従来の包装容器が知られている。
【０００３】
例えば、特許文献１には、周面輪切り状のカットラインが設けられた筒体（ケース）と、該筒体内に内挿された筒体のカットラインに対応する位置にカットラインが設けられている内箱（トレー）とを備えた縮小可能な箱が記載されている。
【０００４】
また、特許文献２には、周方向に一周する切断可能である第一切取線を有するケースと、底面およびその側面につながる切断可能である第二切取線を有すると共に、引き出される方向に略垂直で折り曲げ可能である第一折線を底面および側面に有するトレーとを備え、第二切取線を切断して第一折線を折ることにより小型のトレーに変形可能である包装容器が記載されている。
【先行技術文献】
【特許文献】
【０００５】
【特許文献１】実開昭６１−７７３２２号公報
【特許文献２】特開２００６−３１５７５１号公報
【考案の概要】
【考案が解決しようとする課題】
【０００６】
しかし、特許文献１，２に記載の従来の包装容器は、小型の包装容器に変形させたときに、切り取られたトレーの端部が扉となるため、例えば、収納物が水分の多いものであるときには、切り取ったときに扉となるトレーの底面の端部が湿ってしまったり、収納物がクリームを豊富に使ったショートケーキであるときはトレーの端部にクリームが付着してしまったりすることがあり、汚れたままの扉で包装容器を使い続けなければならない。
【０００７】
そこで本考案は、衛生状態を保ったまま小サイズに変更することができる包装容器を提供することを目的とする。
【課題を解決するための手段】
【０００８】
本考案の包装容器は、筒状のケースと、前記ケースに収納されるトレーとを備えた包装容器において、前記ケースには、余剰分を切り取って小サイズとしたときに一端側の扉となる突出片を残して切断するための第１の切取線が周方向に沿って全周に設けられ、前記トレーには、前記第１の切取線に対応した位置に余剰分を切り取るための第２の切取線が設けられていることを特徴とする。
本考案の包装容器は、第１の切取線によりケース側に突出片が設けられるので、トレーが収納物により汚れても扉となる突出片を衛生的に保つことができる。
【０００９】
前記ケースの突出片は、前記トレーの底面側に設けられているのが望ましい。突出片がトレーの底面側に設けられていると、収納物を収納した場合では突出片はトレーの下になり隠れた状態であるため、確実に突出片の衛生状態を保つことができる。
【００１０】
前記トレーの第２の切取線は、前記突出片を扉としたときの前記突出片のそれぞれの側部に対応する位置に一対のフラップを残して形成されているのが望ましい。
小サイズとしたトレーに一対のフラップが設けられることで、突出片を扉としたときのそれぞれの側部に隙間ができることを防止することができる。
【００１１】
前記一対のフラップは、前記突出片の先端に対応する側から前記突出片の基端に対応する側へ向かって徐々に幅が狭くなる略三角形状に形成されているのが望ましい。
前記一対のフラップが略三角形状に形成されていることで、突出片の先端部を差込としたときにフラップに係止させることができると共に、三角形の斜辺に沿って余剰分を切り取ることになるため容易に切断することができる。
【考案の効果】
【００１２】
本考案によれば、第１の切取線によりケース側に突出片が設けられるので、トレーが収納物により汚れても扉となる突出片の衛生状態を保ったまま小サイズに変更することができる。
【図面の簡単な説明】
【００１３】
【図１】本考案の実施の形態に係る包装容器を示す斜視図である。
【図２】図１に示す包装容器を小サイズとした状態を示す斜視図である。
【図３】図１に示す包装容器のケースを外側から見た展開図である。
【図４】図１に示す包装容器のトレーを内側から見た展開図である。
【図５】トレーを小サイズとする手順を説明するための図であり、（Ａ）は切り取り位置を示す斜視図、（Ｂ）は切り取り方向を説明するための斜視図である。
【図６】ケースを小サイズとする手順を説明するための図であり、（Ａ）は切り取り開始を示す斜視図、（Ｂ）は（Ａ）に続く切り取り手順を示す斜視図である。
【考案を実施するための形態】
【００１４】
本考案の実施の形態に係る包装容器を図面に基づいて説明する。
図１に示すように、本実施の形態に係る包装容器１は、略三角柱状に形成されたケーキを収納するもので、ショートケーキの細い方同士を向かい合わせて、かつ互い違いに配置することで、１２個のショートケーキが収納できるものである。そして、この包装容器１は、１２個のショートケーキが６個以下となったときに、包装容器１０を縮小させて図２に示すような小サイズの包装容器２とすることができるものである。
【００１５】
このような包装容器１は、筒状のケース１０と、ケース１０に収納されるトレー２０とを備えている。
このケース１０とトレー２０について、図３および図４に基づいて詳細に説明する。図３および図４においては、切取線を点線、折り曲げ線を一点鎖線で示している。また、切り取られて捨てられる方を余剰側、残る方を使用側と称する。
【００１６】
ケース１０は、軸線に直交する方向の断面が長方形状をした角筒状に形成されている。このケース１０は、ケース１０を外側から見た展開図である図３に示すように、上面Ｓ１１と一方の側面Ｓ１２と他方の側面Ｓ１３とを２等分する位置に、ミシン目である切取線Ｃ１１，Ｃ１２，Ｃ１３が設けられている。
底面Ｓ１４を２等分する位置に一端側の扉となる突出片１１の基端を折り曲げやすくするための折り曲げ線Ｌ１１が設けられている。
【００１７】
上面Ｓ１１と一方の側面Ｓ１２との間に折り曲げ線Ｌ１２が設けられている。一方の側面Ｓ１２と底面Ｓ１４との間には、使用側に、折り曲げ線Ｌ１３、余剰側に切取線Ｃ１４が設けられている。他方の側面Ｓ１３と底面Ｓ１４との間には、使用側に折り曲げ線Ｌ１４、余剰側に切取線Ｃ１５が設けられている。
そして、余剰側が切り取られることで扉として残る底面Ｓ１４の突出片１１の先端の位置に切取線Ｃ１６が設けられている。この突出片１１には、先端部を差込１２とするための折り曲げ線Ｌ１５が設けられている。
【００１８】
このようにケース１０に切取線と折り曲げ線とが設けられていることで、切取線Ｃ１１と切取線Ｃ１２と、切取線Ｃ１４の一部（切取線Ｃ１２から切取線Ｃ１６までの間の切取線、以下、これを切取線Ｃ１７と称す。）と、切取線Ｃ１６と、切取線Ｃ１５の一部（切取線Ｃ１５から切取線Ｃ１３までの間の切取線、以下、これを切取線Ｃ１８と称す。）と切取線Ｃ１３とにより、ケース１０の余剰側を切り離すための第１の切取線が構成される。
【００１９】
トレー２０は、軸線に直交する方向の断面が長方形状をした上方が開口した箱型に形成されたものである。このトレー２０には、トレー２０を内側から見た展開図である図４に示すように、一方の側面Ｓ２１の両端にフラップ２１，２２が設けられている。他方の側面Ｓ２２の両端にはフラップ２３，２４が設けられている。底面Ｓ２３の両端にはケース１０に収納したときの扉となる折り曲げ片２５，２６が設けられている。フラップ２１，２３と折り曲げ片２５のそれぞれの基端には折り曲げ線Ｌ２１〜Ｌ２３が設けられている。また、フラップ２２，２４と折り曲げ片２６のそれぞれの基端には折り曲げ線Ｌ２４〜Ｌ２６が設けられている。
【００２０】
トレー２０の一方の側面Ｓ２１には、２等分する位置に、折り曲げ線Ｌ２７が設けられている。また、一方の側面Ｓ２１には、２等分する位置であって、底面Ｓ２３と接する位置から側面Ｓ２１の上端に向かって、折り曲げ線Ｌ２７から徐々に離れるような切取線Ｃ２１が設けられている。
この折り曲げ線Ｌ２７と切取線Ｃ２１とにより、余剰分を切り取ったときのフラップ２３が、突出片２１の先端に対応する側から突出片２１の基端に対応する側へ向かって徐々に幅が狭くなる略三角形状に形成される。
【００２１】
トレー２０の他方の側面Ｓ２２には、２等分する位置に、折り曲げ線Ｌ２８が設けられている。また、他方の側面Ｓ２２には、２等分する位置であって、底面Ｓ２３と接する位置から側面Ｓ２２の上端に向かって、折り曲げ線Ｌ２８から徐々に離れるような切取線Ｃ２２が設けられている。
【００２２】
この折り曲げ線Ｌ２８と切取線Ｃ２２とにより、余剰分を切り取ったときのフラップ２４が、フラップ２３と同様に、突出片２１の先端に対応する側から突出片２１の基端に対応する側へ向かって徐々に幅が狭くなる略三角形状に形成される。
底面Ｓ２３には、２等分する位置に切取線Ｃ２３が設けられている。
このようにトレー２０に切取線と折り曲げ線とが設けられていることで、切取線Ｃ２１〜Ｃ２３により、トレー２０から余剰側を切り離すための第２の切取線が構成される。
【００２３】
以上のように構成された本考案の実施の形態に係る包装容器１の使用状態について、図面に基づいて説明する。
図５（Ａ）に示すようにトレー２０に収納されるショートケーキの数が半分以下（６個以下）になったら、トレー２０を半分に切り取り、小サイズとする。
このトレー２０の切り取りは、図５（Ｂ）に示すようにトレー２０の使用側と余剰側とをそれぞれ手でつまみ、切取線Ｃ２１〜Ｃ２３を引き裂くようにして切断して分割する。フラップ２３，２４は、切取線Ｃ２１，Ｃ２２が側面Ｓ２１，Ｓ２２の上端辺から斜めに設けられた略三角形状に形成されているため、切取線Ｃ２１，Ｃ２２を容易に切断することができる。
【００２４】
次に、ケース１０を半分に切り取り、小サイズとする手順を説明する。
まず、図６（Ａ）に示すように、ケース１０の切取線Ｃ１８を含む切取線Ｃ１５を引き裂き切断する。次に、他方の側面Ｓ１３の切取線Ｃ１３を切断し、そのまま引き続いて上面Ｓ１１の切取線Ｃ１１、一方の側面Ｓ１２の切取線Ｃ１２を切断する。切取線Ｃ１３と切取線Ｃ１１と切取線Ｃ１２は連続した切取線であるため容易に切断することができる。
【００２５】
次に、図６（Ｂ）に示すように、一方の側面Ｓ１２と底面Ｓ１４との境目である切取線Ｃ１７を含む切取線Ｃ１４を切断する。そして、最後に、底面１４の切取線Ｃ１６を切断する。
このように、切断線Ｃ１１〜Ｃ１３，Ｃ１６〜Ｃ１８を切断することで、突出片１１が設けられた小サイズの角筒状のケース２（図２参照）とすることができる。
【００２６】
突出片１１を残してケース１０を小サイズとするために、ケース１０の周方向に沿って全周に設けられた第１の切取線（切取線Ｃ１１，Ｃ１２，Ｃ１７，Ｃ１６、Ｃ１８，Ｃ１３）を切断することで、余剰分を切り取ることができる。しかし、本実施の形態では、突出片１１を切り出すための切取線Ｃ１７をケース１０の一端まで延長した切取線Ｃ１４とし、切取線Ｃ１８をケース１０の一端まで延長した切取線Ｃ１５とすることで、ケース１０の一端から切取り始めることができるので、容易に切り取りを行うことができる。
【００２７】
小サイズとしたケース１０にトレー２０を挿入してスライドさせると、図２に示すように、突出片１１が扉となってトレー２０を覆い隠すことができる。
トレー２０の第２の切取線（切取線Ｃ２１〜Ｃ２３）が、突出片１１を扉としたときの突出片１１のそれぞれの側部に対応するトレー２０の位置に一対のフラップ２３，２４を残すように形成されているため、突出片１１を扉として閉鎖したときに、フラップ２３，２４が突出片１１のそれぞれの側部に隙間ができることを防止する。また、突出片１１の先端部である差込１２がフラップ２３，２４に係止するので、扉（差込１２）を外れ難くすることができる。
【００２８】
突出片１１はケース１０の一部であるため直接ショートケーキが接触してないので湿ったりクリームが付着したりして汚れることが少ない。特に、本実施の形態では、突出片１１がトレー２０の底面Ｓ２３側に設けられているため、クリームが付着することを防止することができるため衛生的である。従って、包装容器１は衛生状態を保ったまま小サイズに変更することができる。
【００２９】
なお、本考案の実施の形態に係る包装容器について、包装容器１を半分のサイズとするために、ケース１０およびトレー２０の２等分の位置に切取線を設けていたが、半分のサイズとする以外に、切取線の位置を変更することで切取線の位置に応じた小サイズとすることができる。
また、突出片１１をケース１０の底面Ｓ１４側に設けたが、上面Ｓ１１側に設けてもよい。この場合、フラップ２３，２４の三角形状は、上下を反対方向へ向けるのが望ましい。更に、フラップ２３，２４は、三角形状とする以外に、正方形状や長方形状、台形状などとすることができる。
また、収納物として、ショートケーキを例に説明したが、他の種類のケーキを収納物としてもよい。また、本考案の包装容器は、ケーキ以外に、個別包装された菓子類やその他のものを収納する場合でも使用することができる。
【産業上の利用可能性】
【００３０】
本考案の包装容器は、収納物として柔らかいものや硬い物など限定されないが、特に、冷凍菓子を収納する際にはトレーが湿ったり収納物の一部が付着したりしやすいので最適である。
【符号の説明】
【００３１】
１，２  包装容器
１０  ケース
１１  突出片
１２  差込
Ｓ１１  上面
Ｓ１２，Ｓ１３  側面
Ｓ１４  底面
２０  トレー
Ｓ２１，Ｓ２２  側面
Ｓ２３  底面
【図１】
0003170621.tif 000003
【図２】
0003170621.tif 000004
【図３】
0003170621.tif 000005
【図４】
0003170621.tif 000006
【図５】
0003170621.tif 000007
【図６】
0003170621.tif 000008